(57)【特許請求の範囲】
【請求項１】
画像内符号化画像データ及び画像間符号化データが多重化された符号化データが入力され上記符号化データから上記画像内符号化画像データを選択して上記画像内符号化画像データを再構成する符号化データ再構成手段と、
上記画像内符号化画像データ及び画像間符号化データが多重化された符号化データを記録すると共に、上記符号化データ再構成手段により再構成された符号化データを記録媒体上の所定の位置に配列するように記録するための記録手段と、
上記記録手段により記録媒体上に記録されたデータを再生する再生手段と、
上記再生手段により再生されたデータを復号する復号手段に上記再生されたデータを出力する出力手段と、
上記再生手段により再生されたデータから検出した第１の時間信号に基づいて上記第１の時間信号に続く第２の時間信号を発生する時間信号発生手段と、
上記再生手段により再生されたデータから上記第１の時間信号が正常に検出されているときは上記第１の時間信号を上記復号手段に出力し、上記第１の時間信号が正常に検出されなくなったときは上記時間信号発生手段により発生された上記第２の時間信号を上記復号手段に出力するように制御する制御手段とを備えた記録再生装置。
【請求項２】
上記符号化データ再構成手段は、上記符号化データ中の低域成分を抽出して上記画像内符号化画像データを再構成することを特徴とする請求項１記載の記録再生装置。
【請求項３】
上記画像内符号化画像データ及び画像間符号化データが多重化された符号化データは通常再生用データであり、上記符号化データ再構成手段により再構成された符号化データは特殊再生用データであることを特徴とする請求項１に記載の記録再生装置。
【請求項４】
上記制御手段は、上記再生手段の通常再生と特殊再生との移行期間に上記時間信号発生手段により発生された上記第２の時間信号を上記復号手段に出力することを特徴とする請求項１又は３記載の記録再生装置。
【請求項５】
上記画像内符号化画像データ及び画像間符号化データが多重化された符号化データとは、ＭＰＥＧ方式による符号化データであることを特徴とする請求項１乃至４のいずれか１項に記載の記録再生装置。
【請求項６】
上記画像内符号化画像データ及び画像間符号化データが多重化された符号化データとは、ＡＴＶ方式による符号化データであることを特徴とする請求項１乃至４のいずれか１項に記載の記録再生装置。
【請求項７】
上記時間信号発生手段は、上記検出した第１の時間としてのＰＣＲに基づいて、上記第２の時間信号としてのＰＣＲを発生することを特徴とする請求項１乃至６のいずれか１項に記載の記録再生装置。
【請求項８】
上記時間信号発生手段は、上記検出した第１の時間としてのＳＣＲに基づいて、上記第２の時間信号としてのＳＣＲを発生することを特徴とする請求項１乃至５のいずれか１項に記載の記録再生装置。
【請求項９】
入力されたＭＰＥＧトランスポートストリームからＩフレームを選択して生成された特殊再生用データと、上記ＭＰＥＧトランスポートストリームに係る通常再生用データとを記録する記録手段と、
上記記録手段により記録されたデータを再生する再生手段と、
上記再生手段により再生されたデータをデコードするデコーダに上記再生されたデータを出力する出力手段と、
上記再生手段により再生されたデータ中より検出されたＰＣＲの値に従って、次のＰＣＲに対応する時間信号を連続して発生する時間信号発生手段と、
上記再生手段によって上記データ中のＰＣＲが検出できている状態から検出できない状態へ変移したときは、上記時間信号発生手段により発生された時間信号を上記デコーダに出力するように制御する制御手段とを備えることを特徴とする記録再生装置。
【請求項１０】
入力されたＭＰＥＧプログラムストリームからＩフレームを選択して生成された特殊再生用データと、上記ＭＰＥＧプログラムストリームとに係る通常再生用データを記録する記録手段と、
上記記録手段により記録されたデータを再生する再生手段と、
上記再生手段により再生されたデータをデコードするデコーダに上記再生されたデータを出力する出力手段と、
上記再生手段により再生されたデータ中より検出されたＳＣＲの値に従って、次のＳＣＲに対応する時間信号を連続して発生する時間信号発生手段と、
上記再生手段によって上記データ中のＳＣＲが検出できている状態から検出できない状態へ変移したときは、上記時間信号発生手段により発生された時間信号を上記デコーダに出力するように制御する制御手段とを備えることを特徴とする記録再生装置。
【請求項１１】
画像内符号化画像データ及び画像間符号化画像データが多重化された通常再生用データと、画像内符号化画像データが多重化された特殊再生用データとを含む符号化データが記録された記録媒体より上記符号化データを再生する装置であって、
上記再生された符号化データをデコードするデコーダに上記符号化データを出力する出力手段と、
上記再生された符号化データから検出した第１の時間信号に基づいて該第１の時間信号に続く第２の時間信号を発生する時間信号発生手段と、
上記再生された符号化データから上記第１の時間信号が正常に検出されているときは上記第１の時間信号を上記デコーダに出力し、上記第１の時間信号が正常に検出されなくなったときは上記時間信号発生手段により発生された上記第２の時間信号を上記デコーダに出力するように制御する制御手段とを備えることを特徴とする再生装置。
【請求項１２】
上記制御手段は、通常再生と特殊再生との移行期間に、前記時間信号発生手段により発生された上記第２の時間信号を上記デコーダに出力することを特徴とする請求項１１に記載の再生装置。
【請求項１３】
上記符号化データは、ＭＰＥＧ方式により符号化されたことを特徴とする請求項１１又は１２に記載の再生装置。
【請求項１４】
上記符号化データは、ＡＴＶ方式により符号化されたことを特徴とする請求項１１又は１２に記載の再生装置。
【請求項１５】
上記時間信号発生手段は、上記検出した第１の時間としてのＰＣＲに基づいて、上記第２の時間信号としてのＰＣＲを発生することを特徴とする１１乃至１４のいずれか１項に記載の再生装置。
【請求項１６】
上記時間信号発生手段は、上記検出した第１の時間としてのＳＣＲに基づいて、上記第２の時間信号としてのＳＣＲを発生することを特徴とする請求項１１乃至１３のいずれか１項に記載の再生装置。
【請求項１７】
ＭＰＥＧトランスポートストリームに係る通常再生用データと、上記ＭＰＥＧトランスポートストリーム中のＩフレームが多重化された特殊再生用データとを含む符号化データが記録された記録媒体より上記符号化データを再生する装置であって、
上記再生された符号化データをデコードするデコーダに上記符号化データを出力する出力手段と、
上記再生された符号化データ中より検出されたＰＣＲの値に従って、次のＰＣＲに対応する時間信号を連続して発生する時間信号発生手段と、
上記符号化データ中のＰＣＲが検出できている状態から検出できない状態へ変移したときは、上記時間信号発生手段により発生された時間信号を上記デコーダに出力するように制御する制御手段とを備えることを特徴とする再生装置。
【請求項１８】
ＭＰＥＧプログラムストリームに係る通常再生用データと、上記ＭＰＥＧプログラムストリーム中のＩフレームが多重化された特殊再生用データとを含む符号化データが記録された記録媒体より上記符号化データを再生する装置であって、
上記再生された符号化データをデコードするデコーダに上記符号化データを出力する出力手段と、
上記再生された符号化データ中より検出されたＳＣＲの値に従って、次のＳＣＲに対応する時間信号を連続して発生する時間信号発生手段と、
上記符号化データ中のＳＣＲが検出できている状態から検出できない状態へ変移したときは、上記時間信号発生手段により発生された時間信号を上記デコーダに出力するように制御する制御手段とを備えることを特徴とする再生装置。
【発明の詳細な説明】
【０００１】
【産業上の利用分野】
本発明は、ディジタルビデオテープレコーダなど、高能率符号化を適用した記録再生装置及び再生装置に関する。
【０００２】
【従来の技術】
近年、画像のディジタル処理が検討されている。特に、画像データを圧縮するための高能率符号化については、標準化のために各種方式が提案されている。高能率符号化技術は、ディジタル伝送及び記録などの効率を向上させるために、より小さいビットレートで画像データを符号化するものである。このような高能率符号化方式として、ＣＣＩＴＴ（Ｃｏｍｉｔｅ  Ｃｏｎｓｕｌｔａｆｉｆ  Ｉｎｔｅｒｎａｔｉｏｎａｌ  Ｔｅｌｅｇｒａｐｈｉｑｕｅ  ｅｔ  Ｔｅｌｅｌｃｐｈｏｎｉｑｕｅ）は、テレビ会議／テレビ電話用の標準化勧告案Ｈ．２６１、カラー静止画用のＪＰＥＧ（Ｊｏｉｎｔ  ｐｈｏｔｏｇｒａｐｈｉｃ  Ｅｘｐｅｒｔ  Ｇｒｏｕｐ  ）方式、及び動画用のＭＰＥＧ（Ｍｏｖｉｎｇ  ｐｉｔｕｒｅ  Ｅｘｐｅｒｔ）方式を提案している。またアメリカ合衆国では、ＭＰＥＧ−２方式を用いた次世代テレビ放送方式であるＡＴＶ（Ａｄｖａｎｃｅｄ  Ｔｅｌｅｖｉｓｉｏｎ  ）が検討されている。
【０００３】
図４はＭＰＥＧ符号化方式を説明するための説明図である。図中、矢印によって符号化における予測の方向を示す。また図５はＭＰＥＧ符号化方式における符号化（エンコード）処理、記録媒体上の配列、及び復号化（デコード）処理による画像データの順序を示す説明図である。
ＭＰＥＧ符号化方式は、図４に示すように所定枚数のフレーム画像でＧＯＰ（Ｇｒｏｕｐ  ｏｆ  Ｐｉｃｔｕｒｅ）を構成する。ＧＯＰに画像内符号化画像Ｉが少なくとも１枚は含まれている。画像内符号化画像ＩはＤＣＴ（離散コサイン変換）によって１フレームの画像データを符号化したものである。この画像内符号化画像Ｉから所定のａフレーム毎の１フレームの画像データは、前方予測符号化画像Ｐに変換される。更に、画像内符号化画像Ｉまたは第１の前方予測符号化画像Ｐ１と、第２の前方予測符号化画像Ｐ２との間の各フレームの画像データは、前方及び後方の画像データを用いた両方向予測符号化により両方向予測符号化画像Ｂに変換される。
【０００４】
図５に示すように、まず画像内符号化画像Ｉが符号化される。画像内符号化画像Ｉは、フレーム内の情報のみによって符号化され、時間方向の予測が含まれていない。次に、図５に示されるように、前方予測符号化画像Ｐが作成され、画像内符号化画像Ｉまたは前方予測符号化画像Ｐの後に両方向予測符号化画像Ｂの符号化処理が行なわれる。前方予測符号化画像Ｐ及び両方向予測符号化画像Ｂは他の画像データとの相関を利用している。上記のように、各画像データの予測方法に起因して、両方向予測符号化画像Ｂは画像内符号化画像Ｉまたは前方予測符号化画像Ｐの後に記録媒体上に記録され、復号時に元の順序に戻される。
【０００５】
画像内符号化画像Ｉはフレーム内の情報のみによって符号化されているので、単独の符号化データのみによって復号可能である。一方前方予測符号化画像Ｐ及び両方向予測符号化画像Ｂは、他の画像データとの相関を利用して符号化を行なっており、単独の符号化データのみによっては復号することができないようになっている。
【０００６】
ＭＰＥＧ符号化方式においては、記録レートは規定されている（標準１．２Ｍｂｐｓ）が、データ長は可変である。従って、ＧＯＰに含まれる画像内符号化画像Ｉがどの位置に記録されるか特定することはできず、また一つのＧＯＰのデータ長を特定することもできない。上記のＭＰＥＧ符号化方式を、ディジタルビデオテープレコーダなどに適用した場合、通常再生においては、各符号化画像Ｉ、Ｂ、Ｐが順次再生されるので特に問題は起こらない。しかしながら、早送り再生など特殊再生を行なう場合、各符号化画像Ｉ、Ｂ、Ｐが順次再生されることにはならない。また、特殊再生を行なう場合、記録媒体上の記録トラックの一部しか再生されず、画像内符号化画像Ｉの記録媒体上の位置は特定されていないので、画像内符号化画像Ｉが必ず再生できるとは限らない。この場合、前方予測符号化画Ｐや、両方向予測符号化画像Ｂが再生できなくなる。このため、例えば特開平４−２９８８０２公報に開示される技術においては、符号化画像データを特殊再生時に再生できる記録媒体上の所定位置に記録しておいて、特殊再生時にはこのデータを再生することにより画面を再現するようにしている。
【０００７】
次に、ＭＰＥＧ−２方式においては、コード化された画像信号、音声信号、またはその他のビット列をエレメンタリストリーム（ｅｌｅｍｅｎｔａｒｙ  ｓｔｒｅａｍ  ）と称する。また、エレメンタリストリームを運ぶための構造としてＰＥＳ（Ｐａｃｋｃｔｉｚｅｄ  Ｅｌｅｍｅｎｔａｒｙ  Ｓｔｒｅａｍ）パケットが定義されている。これはＰＥＳヘッダの後にＰＥＳペイロードが続く構造を持つ。ＭＰＥＧ−２方式において共通のタイムベースを持ったエレメンタリストリームの集合はプログラムと呼ばれる。
【０００８】
ＭＰＥＧ−２方式のコード化には、２つの形式が定義されている。１つはトランスポートストリーム（Ｔｒａｎｓｐｏｒｔ  Ｓｔｒｅａｍ）、もう１つはプログラムストリーム（Ｐｒｏｇｒａｍ  Ｓｔｒｅａｍ）である。上記のトランスポートストリーム及びプログラムストリームの両方の定義には、映像と音声のデコード・再生の同期に関する必要充分な文法が含まれている。プログラムストリームは共通のタイムベースを持った一つかそれ以上のＰＥＳパケットを結合して、単一のビット列としたものである。トランスポートストリームは一つかそれ以上のタイムベースを持った一つかそれ以上のプログラムを結合して、単一のビット列としたものである。前述のＡＴＶ方式においては、上記トランスポートストリームが用いられる。
【０００９】
ＭＰＥＧ−２方式のデコードシステムにおいて、プログラムストリームの場合はＳＣＲ（Ｓｙｓｔｅｍ  Ｃｌｏｃｋ  Ｒｅｆｅｒｅｎｃｅ）を、トランスポートストリームの場合はＰＣＲ（Ｐｒｏｇｒａｍ  Ｃｌｏｃｋ  Ｒｅｆｅｒｅｎｃｅ  ）を時間信号として用いることによってそれぞれ同期がとられる。図６はＳＣＲまたはＰＣＲのデコード回路の一例である。特殊再生を行なう場合において、２０１は入力端子、２０２は引き算器、２０３はＬＰＦ（Ｌｏｗ  Ｐａｓｓ  Ｆｉｌｔｅｒ  ）、２０４はアンプ、２０５はＶＣＯ（Ｖｏｌｔａｇｅ  Ｃｏｎｔｒｏｌｌｅｄ  Ｏｓｃｉｌｌａｔｏｒ  ）、２０６はカウンタ、２０７は出力端子である。
【００１０】
カウンタ２０６の出力はＳＴＣ（Ｓｙｓｔｅｍ  Ｔｉｍｅ  Ｃｌｏｃｋ  ）と呼ばれる。このデコード回路の入力端子２０１にＳＣＲまたはＰＣＲが到着すると、引き算器２０２によってカウンタ２０６の出力である現在のＳＴＣと到着したＳＣＲまたはＰＣＲとの比較値が算出される。この比較値はＬＰＦ２０３及びアンプ２０４によってＶＣＯ２０５のコントロール信号として出力される。ＶＣＯ２０５はクロック信号を出力する。ＶＣＯ２０５の出力であるクロック信号は、上記コントロール信号の値によってこのクロック信号の周波数が変化するようになっている。
【００１１】
ＶＣＯ２０５の出力信号は出力端子２０７から不図示のＭＰＥＧデコーダに入力されてシステムクロックとして使用されるとともに、カウンタ２０６に出力される。カウンタ２０６は上記システムクロックをカウントして、上記ＳＴＣを出力する。このＳＴＣは引き算器２０２に入力され、ＰＬＬ（Ｐｈａｓｃ  Ｌｏｃｋｅｄ  Ｌｏｏｐ  ）回路のフィードバックグループを構成している。このＰＬＬ回路に入力されるＳＣＲ及びＰＣＲの入力の時間的間隔は、上記のＳＣＲの場合には７００ミリ秒以内に、ＰＣＲの場合には１００ミリ秒以内にそれぞれ設定されている。前述のＡＴＶ方式の場合、上記ＰＣＲを用いて上記デコーダ回路と同様に同期がとられる。
【００１２】
ＭＰＥＧ方式、またはＡＴＶ方式においては上記のように、同期をとる手段としてＰＣＲまたはＳＣＲを用いているために、デコーダにＰＣＲまたはＳＣＲデータを連続的に入力しなくてはならない。しかしながら、前記特開平４−２９８８０２公報などにみられる記録再生装置においては、通常再生から特殊再生への移行期間、あるいは特殊再生から通常再生への移行期間には、上記のＰＣＲあるいはＳＣＲをデコーダに入力することができず、このためデコーダの動作に遅延が生じることになる。
【００１３】
【発明が解決しようとする課題】
上述したように、従来の記録再生装置においては、予測符号化を行なった画像データを記録媒体に記録すると、特殊再生時には画像内符号化画像Ｉを再生することができず、特殊再生ができないという問題点があった。また特殊再生ができるようにした場合には、同期信号に不連続が生じるため、通常再生から特殊再生への移行期間、あるいは特殊再生から通常再生への移行期間には、再生動作に遅延が生じてしまうという問題点があった。
【００１４】
本発明はかかる問題点に鑑みてなされたものであり、特殊再生を可能にするとともに、通常再生から特殊再生への移行期間、あるいは特殊再生から通常再生への移行期間の再生動作に遅延が生じないようにする記録再生装置及び再生装置を提供することを目的とする。
【００１５】
【課題を解決するための手段】
本発明の記録再生装置は、画像内符号化画像データ及び画像間符号化データが多重化された符号化データが入力され上記符号化データから上記画像内符号化画像データを選択して上記画像内符号化画像データを再構成する符号化データ再構成手段と、上記画像内符号化画像データ及び画像間符号化データが多重化された符号化データを記録すると共に、上記符号化データ再構成手段により再構成された符号化データを記録媒体上の所定の位置に配列するように記録するための記録手段と、上記記録手段により記録媒体上に記録されたデータを再生する再生手段と、上記再生手段により再生されたデータを復号する復号手段に上記再生されたデータを出力する出力手段と、上記再生手段により再生されたデータから検出した第１の時間信号に基づいて上記第１の時間信号に続く第２の時間信号を発生する時間信号発生手段と、上記再生手段により再生されたデータから上記第１の時間信号が正常に検出されているときは上記第１の時間信号を上記復号手段に出力し、上記第１の時間信号が正常に検出されなくなったときは上記時間信号発生手段により発生された上記第２の時間信号を上記復号手段に出力するように制御する制御手段とを備える。
【００１６】
本発明の他の記録再生装置は、入力されたＭＰＥＧトランスポートストリームからＩフレームを選択して生成された特殊再生用データと、上記ＭＰＥＧトランスポートストリームに係る通常再生用データとを記録する記録手段と、上記記録手段により記録されたデータを再生する再生手段と、上記再生手段により再生されたデータをデコードするデコーダに上記再生されたデータを出力する出力手段と、上記再生手段により再生されたデータ中より検出されたＰＣＲの値に従って、次のＰＣＲに対応する時間信号を連続して発生する時間信号発生手段と、上記再生手段によって上記データ中のＰＣＲが検出できている状態から検出できない状態へ変移したときは、上記時間信号発生手段により発生された時間信号を上記デコーダに出力するように制御する制御手段とを備える。
また、本発明の他の記録再生装置は、入力されたＭＰＥＧプログラムストリームからＩフレームを選択して生成された特殊再生用データと、上記ＭＰＥＧプログラムストリームとに係る通常再生用データを記録する記録手段と、上記記録手段により記録されたデータを再生する再生手段と、上記再生手段により再生されたデータをデコードするデコーダに上記再生されたデータを出力する出力手段と、上記再生手段により再生されたデータ中より検出されたＳＣＲの値に従って、次のＳＣＲに対応する時間信号を連続して発生する時間信号発生手段と、上記再生手段によって上記データ中のＳＣＲが検出できている状態から検出できない状態へ変移したときは、上記時間信号発生手段により発生された時間信号を上記デコーダに出力するように制御する制御手段とを備える。
【００１７】
本発明の再生装置は、画像内符号化画像データ及び画像間符号化画像データが多重化された通常再生用データと、画像内符号化画像データが多重化された特殊再生用データとを含む符号化データが記録された記録媒体より上記符号化データを再生する装置であって、上記再生された符号化データをデコードするデコーダに上記符号化データを出力する出力手段と、上記再生された符号化データから検出した第１の時間信号に基づいて該第１の時間信号に続く第２の時間信号を発生する時間信号発生手段と、上記再生された符号化データから上記第１の時間信号が正常に検出されているときは上記第１の時間信号を上記デコーダに出力し、上記第１の時間信号が正常に検出されなくなったときは上記時間信号発生手段により発生された上記第２の時間信号を上記デコーダに出力するように制御する制御手段とを備える。
【００１８】
本発明の他の再生装置は、ＭＰＥＧトランスポートストリームに係る通常再生用データと、上記ＭＰＥＧトランスポートストリーム中のＩフレームが多重化された特殊再生用データとを含む符号化データが記録された記録媒体より上記符号化データを再生する装置であって、上記再生された符号化データをデコードするデコーダに上記符号化データを出力する出力手段と、上記再生された符号化データ中より検出されたＰＣＲの値に従って、次のＰＣＲに対応する時間信号を連続して発生する時間信号発生手段と、上記符号化データ中のＰＣＲが検出できている状態から検出できない状態へ変移したときは、上記時間信号発生手段により発生された時間信号を上記デコーダに出力するように制御する制御手段とを備える。
本発明の他の再生装置は、ＭＰＥＧプログラムストリームに係る通常再生用データと、上記ＭＰＥＧプログラムストリーム中のＩフレームが多重化された特殊再生用データとを含む符号化データが記録された記録媒体より上記符号化データを再生する装置であって、上記再生された符号化データをデコードするデコーダに上記符号化データを出力する出力手段と、上記再生された符号化データ中より検出されたＳＣＲの値に従って、次のＳＣＲに対応する時間信号を連続して発生する時間信号発生手段と、上記符号化データ中のＳＣＲが検出できている状態から検出できない状態へ変移したときは、上記時間信号発生手段により発生された時間信号を上記デコーダに出力するように制御する制御手段とを備える。
【００２３】
【実施例】
以下に図面を参照して本発明の実施例について説明する。図１は本発明にかかる記録再生装置の実施例の一つを示すブロック図である。本実施例は本発明をＭＰＥＧトランスポートストリームまたはＡＴＶビットストリームを記録するビデオテープレコーダに適用した場合である。
【００２４】
図１において、１は入力端子、２はデマルチプレクサ、３はヘッダ検出回路、４はフレームメモリ、５はメモリ制御回路、６は第１のバッファ、７はマルチプレクサ、８はパリティ発生回路、９は変調回路、１０は記録アンプ、１１は記録ヘッド、１２は磁気テープ、１３は再生ヘッド、１４は再生アンプ、１５は再生等化回路、１６は復調回路、１７はシンク検出回路、１８は誤り訂正回路、１９は第２のバッファ、２０はＰＣＲ検出回路、２１はＰＣＲ発生回路、２２は制御信号の入力端子、２３はシステム制御回路、２４は第１のセレクタ、２５は第２のセレクタ、２６はシンクブロックメモリ、２７はパケット化回路、２８は出力端子である。尚、記録ヘッド１１、再生ヘッド１３は実際には２個の回転磁気ヘッドが用いられている。
【００２５】
次に動作について説明する。
記録時は、入力端子１に入力されたＭＰＥＧトランスポートストリームまたはＡＴＶビットストリームはデマルチプレクサ２に入力されると共に、第１のバッファ６に入力され遅延される。デマルチプレクサ２では、多重化されたビット列から画像情報のビット列が取り出される。デマルチプレクサ２の出力はヘッダ検出回路３及びフレームメモリ４に入力される。
【００２６】
ヘッダ検出回路３ではデマルチプレクサ２によって取り出されたビット列の中から様々なヘッダ情報が取り出される。ヘッダ検出回路３は、このヘッダ情報をメモリ制御回路５に出力する。フレームメモリ４にはデマルチプレクサ２によって取り出された画像データが入力され記憶される。この画像データはＩフレームデータであり、メモリ制御回路５はヘッダ検出回路３から入力されるヘッダ情報から、Ｉフレームを選択してフレームメモリ４に入力するようになっている。
【００２７】
マルチプレクサ７では、第１のバッファ６で遅延されたビット列とフレームメモリ４から出力される特殊再生用データのビット列とが多重される。上記のように多重化されたビット列は、パリティ発生回路８によって誤り訂正符号を付加され、変調回路９によって変調され、記録アンプ１０によって増幅された後、記録ヘッド１１を介して磁気テープ１２に記録される。
【００２８】
再生時は、磁気テープ１２に記録されたデータは、再生ヘッド１３によって再生される。再生ヘッド１３によって再生されたデータは、再生アンプ１４によって増幅され、再生等化回路１５によって符号間干渉が抑圧される。再生等化回路１５の出力は、復調回路１６に入力され復調される。復調回路１６の出力はシンク検出回路１７に入力され、シンク検出回路１７ではビデオテープレコーダの同期がとられる。シンク検出回路１７の出力は誤り訂正回路１８によって、データの誤りが検出・訂正される。
【００２９】
誤り訂正回路１８の出力は第２のバッファ１９に入力され遅延されると共に、ＰＣＲ検出回路２０に入力され現在のＰＣＲ値が検出される。ＰＣＲ発生回路２１ではＰＣＲ検出回路２０によって検出される上記ＰＣＲ値から、次のＰＣＲ値を発生する。前述したようにＰＣＲは少なくとも１００ミリ秒に１度ＭＰＥＧデコーダまたはＡＴＶデコーダに入力されなければならない。このため、ＰＣＲ発生回路２１は、ＰＣＲ検出回路２０がＰＣＲを検出した時刻に応じて、ＰＣＲ検出回路２０が検出した現在のＰＣＲ値に対して最大１００ミリ秒のオフセットを持ったＰＣＲ値を発生するようになっている。
【００３０】
制御信号入力端子２２には特殊再生や通常再生などを指示する制御信号が入力される。この制御信号はシステム制御回路２３に入力される。システム制御回路２３は、上記制御信号により第１のセレクタ２４及び第２のセレクタ２５に信号の経過を指示するとともに、ＰＣＲ発生回路２１にＰＣＲの発生を指示するようになっている。
【００３１】
システム制御回路２３は、通常再生または特殊再生を継続して行なっている場合には、第１のセレクタを第２のバッファ１９の出力であるａ１端子に接続している。上記の場合、ＭＰＥＧデコーダまたはＡＴＶデコーダに送られるＰＣＲは、磁気テープ１２にＰＣＲが記録されているので、連続的な値となっている。しかしながら、通常再生時に制御信号入力端子２２に特殊再生を指示する制御信号が入力された場合、不図示のリールやキャプスタンなどのテープ走行系はすぐには特殊再生に移行できないため、磁気テープ１２に記録されているＰＣＲが再生されず、このため第２のバッファ１９からＰＣＲが出力されなくなってしまう。これは、特殊再生時に制御信号入力端子２２に通常再生を指示する制御信号が入力された場合も同様であり、ＰＣＲが再生されない。
【００３２】
上記の場合、システム制御回路２３は、通常再生から特殊再生に移行する場合あるいはその逆の場合、第１のセレクタ２４をｂ１端子に接続すると共に、ＰＣＲ検出回路２０によって検出されたＰＣＲ値に基づいてＰＣＲ発生回路２１にＰＣＲを連続的に発生させる。この動作によりＰＣＲが再生できない場合にも、ＰＣＲを連続的に後段の回路に送ることができ、ＭＰＥＧデコーダまたはＡＴＶデコーダにＰＣＲを出力できる。
【００３３】
システム制御回路２３は、通常再生を行なっている場合には、第２のセレクタ２５ｂ２端子に接続している。通常再生の場合は、再生された画像データは、パケット化回路２７においてＭＰＥＧまたはＡＴＶのパケット形式に従ってパケット化され、出力端子２８から外部へ出力される。またシステム制御回路２３は、特殊再生を行なっている場合は、第２のセレクタ２５をａ２端子に接続する。特殊再生の画像データは磁気テープ１２の不連続な位置に記録されているため、不連続に再生される。特殊再生の場合には、不連続に再生された画像データは第２のセレクタ２５のａ２端子を経て、シンクブロックメモリ２６に入力され、Ｉフレームのデータとして再構成される。このＩフレームデータはパケット化回路２７によりパケット化された後、出力端子２８を介して外部に出力される。
【００３４】
ＰＣＲ検出回路２０は例えば図２のように構成されている。図２において、１０１は入力端子、１０２はシンクバイト（ｓｙｎｃ  ｂｙｔｅ  ）検出回路、１０３は第１のカウンタ、１０４は比較器、１０５は第２のカウンタ、１０６はシフトレジスタ、１０７は出力端子である。
【００３５】
入力端子１０１から入力されたパケットデータはまずシンクバイト検出回路に入力され、そのパケットデータに含まれている８ビットのシンクバイトが検出され、パケット毎の同期がとられる。パケット毎の同期がとられたパケットデータは、第１のカウンタ１０３、比較器１０４及びシフトレジスタ１０６に入力される。
【００３６】
第１のカウンタ１０３は、パケットのビット数をカウントする。即ち、この第１カウンタ１０３は、シンクバイト検出回路１０２の出力に基づいてカウント値をリセットすると共に、シンクバイトにおける最後のビットの次のビットからカウントを開始する。カウント値が１９ビットになると第１のカウンタ１０３は比較器１０４へ比較許可信号のビットを出力する。このビットはアダプテーションフィールドコントロール（ａｄａｐｔａｔｉｏｎ  ｆｉｅｌｄ  ｃｏｎｔｒｏｌ）の最初のビットであって、このビットが１の時、ＰＣＲが含まれるかもしれないアダプテーションフィールドが同じパケット内に存在する。比較器１０４はこのビットを１と比較し、ビットが１の時は第１のカウンタ１０３にさらにビットカウントを継続するよう指示する。上記ビットが零の時は、比較器１０４は第１のカウンタ１０３にビットカウントを中止させ、次のパケットが入力されるのを待つようになっている。
【００３７】
また、第１のカウンタ１０３はカウント値が３６ビットになると、比較器１０４へ比較許可信号を出力する。このビットはＰＣＲフラグであって、このビットが１の時、同じパケット内にあるアダプテーションフィールド内にＰＣＲが存在する。比較器１０４はこのＰＣＲフラグを１と比較し、ＰＣＲフラグが１の時、第１のカウンタ１０３にビットのカウントを継続させる。またＰＣＲフラグが零の時、比較器１０４は第１のカウンタ１０３にビットカウントを中止させ、次のパケットが入力されるのを待つようになっている。さらに第１カウンタ１０３はカウント値が４０ビットになると、後述する第２カウンタ１０５にビットのカウントを許可する。上記動作により、第２のカウンタ１０５はＰＣＲのデータ部分をカウントする。
【００３８】
第２のカウンタ１０５は、ＰＣＲのビット数をカウントする。シフトレジスタ１０６は、第２のカウンタ１０５の制御に従ってＰＣＲをシリアル−パラレル変換して出力する。上記第２のカウンタ１０５及びシフトレジスタ１０６によって、ＰＣＲがパケットデータから時刻データとして抽出される。ＰＣＲは４２ビットのビットフィールドで、２つのパートに分かれている。１つはＰＣＲベースと呼ばれる３３ビットの部分であり、もう１つはＰＣＲエクステンション（ｅｘｔｅｎｓｉｏｎ  ）と呼ばれる９ビットの部分である。このＰＣＲベースとＰＣＲエクステンションとの間には、ＭＰＥＧで予約されている６ビットのフィールドが挿入されている。
【００３９】
第２のカウンタ１０５は、まず上記ＰＣＲベースを抽出するために、カウントの値が３３ビットとなるまで、シフトレジスタ１０６に入力されたデータをシフトさせる。カウント値が３３ビットになると、シフトレジスタのデータは３３ビットのパラレルデータとして、出力端子１０７から外部へ出力される。その後の６ビットは無効データであるため、カウント値が３９ビットになるまで、この第２のカウンタ１０５はシフトレジスタ１０６にデータの出力及びシフト動作を禁止させる。その後、第２カウンタ１０５はＰＣＲエクステンションを抽出するために、カウント値が４２ビットとなるまでシフトレジスタ１０６に入力されたデータをシフトさせる。カウント値が４２ビットになると、シフトレジスタ１０６のデータは、９ビットのパラレルデータとして出力端子１０７から外部へ出力される。
上記動作により、ＰＣＲの構成要素であるＰＣＲベースとＰＣＲエクステンションとがパケットから取り出されるようになっている。
【００４０】
次に図３は図１におけるＰＣＲ発生回路２１の構成例を示す図である。図３において、１５１は入力端子、１５２は第１のセレクタ、１５３は第１のカウンタ、１５４は第２のカウンタ、１５５はクロックジェネレータ、１５６はバッファ、１５７は第２のセレクタ、１５８はシフトレジスタ、１５９は出力端子である。
【００４１】
入力端子１５１からは、前述のＰＣＲ検出回路２０で検出されたＰＣＲが入力される。第１のセレクタ１５２、第１のカウンタ１５３及び第２のカウンタ１５４は、不図示のタイミング回路によって制御されている。入力端子１５１から入力されたＰＣＲは、第１のセレクタ１５２によって、ＰＣＲベースは第１のカウンタ１５３に、ＰＣＲエクステンションは第２のカウンタ１５４にそれぞれ選択され、入力される。クロックジェネレータ１５５は２７ＭＨｚの周波数を持つクロックを発生する。このクロックジェネレータ１５５の出力は第２のカウンタ１５４に入力される。第２のカウンタ１５４は９ビットのカウンタである。第２のカウンタ１５４は、上記動作によりＰＣＲエクステンションをロードした後、このクロックジェネレータ１５５の出力するクロック毎にＰＣＲエクステンションを１つずつ増加するようになっている。
【００４２】
第１のカウンタ１５３は、３３ビットのカウンタであって、第２のカウンタ１５４が予め定められた所定の最大値に達すると１ずつ増加するようになっている。第２のカウンタの最大値とは２９９であって、第２のカウンタの値すなわちＰＣＲエクステンションが２９９に達すると、第２のカウンタの値は零になり、第１のカウンタの値すなわちＰＣＲベースは１ずつ増加する。上記動作により、第１のカウンタ１５３は９０ＭＨｚのクロックによって増加するのと同等な動作を示す。
【００４３】
第１のカウンタ１５３の出力は、第２のセレクタ１５７へ入力される。第２のカウンタ１５４の出力はバッファ１５６に入力され、遅延されて第２のセレクタ１５７への出力タイミングを合わせられると共に、第２カウンタ１５４の出力データであるＰＣＲエクステンションの前に前述したＭＰＥＧで予約されている６ビットのフィールドが挿入されて、出力される。この６ビットフィールドはリザーブドビット（ｒｅｓｅｒｖｅｄ  ｂｉｔ）と呼ばれ、通常２進数で「１１１１１１」の値を持つ。第２のセレクタ１５７の出力はシフトレジスタ１５８によって、パラレル−シリアル変換され、出力端子１５９を介して外部へ出力される。
上記動作により、ＰＣＲ発生回路２１では、ＭＰＥＧまたはＡＴＶの定義する文法に従ってＰＣＲが発生され出力される。
【００４４】
本実施例によれば、特殊再生が可能でさらに、特殊再生と通常再生との移行期間にもＰＣＲをデコーダに出力できるＭＰＥＧトランスポートストリームまたはＡＴＶビットストリームを記録するビデオテープレコーダを構成できる。この構成により、ＭＰＥＧデコーダあるいはＡＴＶデコーダは、本発明によるビデオテープレコーダが出力するビットストリームを遅延なくデコードすることができる。
【００４５】
なお、本実施例においてはＭＰＥＧトランスポートストリームあるいはＡＴＶビットストリームについて説明したが、同様の構成でＭＰＥＧプログラムストリームや他の高能率符号化したビットストリームにも適用できることは言うまでもない。
【００４６】
【発明の効果】
以上説明したように、本発明によれば、予測符号化を用いたデータを記録再生する記録再生装置、あるいは予測符号化を用いたデータが記録された記録媒体よりデータを再生する再生装置において、特殊再生を可能にするとともに、通常再生から特殊再生への移行期間、あるいは特殊再生から通常再生への移行期間の再生動作に遅延が生じないようにする記録再生装置及び再生装置を実現することができる。
【図面の簡単な説明】
【図１】本発明の実施例を示すブロック図である。
【図２】図１のＰＣＲ検出回路を示すブロック図である。
【図３】図１のＰＣＲ発生回路を示すブロック図である。
【図４】ＭＰＥＧ符号化方式を説明するための説明図である。
【図５】ＭＰＥＧ符号化方式における符号化処理、記録媒体上の配列及び復号処理に対する画像データの順序を示す説明図である。
【図６】ＰＣＲのデコード回路を示すブロック図である。
【符号の説明】
２  デマルチプレッサ
３  ヘッダ検出回路
４  フレームメモリ
５  メモリ制御回路
１１  記録ヘッド
１２  磁気テープ
１３  再生ヘッド
２０  ＰＣＲ検出回路
２１  ＰＣＲ発生回路
１０２  シンクバイト検出回路
１０３、１０５、１５３、１５４  カウンタ
１０４  比較器
１０６、１５８  シフトレジスタ
１５２、１５７  セレクタ
１５５  クロックジェネレータ
【図１】
0003585972.tif 000002
【図２】
0003585972.tif 000003
【図３】
0003585972.tif 000004
【図４】
0003585972.tif 000005
【図５】
0003585972.tif 000006
【図６】
0003585972.tif 000007